(57)【要約】【課題】天板部材の変形を回避することのできる包装形態および底板を提供する。【解決手段】底面を形成する底板部材１０１、該底板部材上に設けられて桁を構成する複数の桁部材１０２、該桁部材上に設けられて天面を形成する天板部材１０３とを備え、前記桁部材の一部（１０２ａ、１０２ｂ、１０２ｃ）が前記天板部材の縁部から露出するように構成された底板と、底部が開放された包装用箱とを含み、前記底板上に前記包装用箱を載せる際に、当該包装用箱の底側の縁部が、前記天板部材の縁部から露出する桁部材のみに当たるようにした。【選択図】図４
2012116535.tif 000002
【特許請求の範囲】
【請求項１】
底面を形成する底板部材、該底板部材上に設けられて桁を構成する複数の桁部材、および該桁部材上に設けられて天面を形成する天板部材を備え、前記桁部材の一部が前記天板部材の縁部から露出するように構成された底板と、
底部が開放された包装用箱と、
を含み、
前記底板上に前記包装用箱を載せる際に、当該包装用箱の底側の縁部が、前記天板部材の縁部から露出する桁部材のみに当たるようにしたことを特徴とする包装形態。
【請求項２】
底面を形成する底板部材および該底板部材上に設けられて桁を構成する複数の桁部材を備え、前記桁部材上に設けられて天面を形成する天板部材とから構成される底板と、
底部が開放された包装用箱と、
を含み、
前記底板上に前記包装用箱を載せる際に、当該包装用箱の底側の縁部が、前記桁部材と対向する前記天板部材の縁部のみに当たるようにしたことを特徴とする包装形態。
【請求項３】
底面を形成する底板部材と、
該底板部材上に設けられて桁を構成する複数の桁部材と、
該桁部材上に設けられて天面を形成する天板部材と、
を備え、
前記桁部材の一部が前記天板部材の縁部から露出するように構成されたことを特徴とする底板。
【請求項４】
前記天板部材のサイズは、当該底板に載せられる底部が開放された包装用箱の内寸よりも小さく選定されることを特徴とする請求項３に記載の底板。
【請求項５】
前記底板部材、前記桁部材および前記天板部材は、段ボール紙で形成されることを特徴とする請求項３または請求項４の何れかに記載の底板。
【発明の詳細な説明】
【技術分野】
【０００１】
本発明は、包装形態および底板に関するものである。
【背景技術】
【０００２】
一般的に、プリンタや複写機などの重量のある製品を梱包する梱包箱の底部には、木製や段ボール製のパレット（底板）が取り付けられている。
【０００３】
即ち、このような梱包箱では、木製や段ボール製のパレットの上に、製品を収容するための底面の無い梱包ケースが載せられる包装形態が採用されている。
【０００４】
上述のような木製または段ボール製のパレットは、例えば底面を形成する底板部材と、この底板部材上に設けられる複数本の縦桁および横桁と、これらの縦桁および横桁の上に設けられて天面を形成する天板部材とから構成される。
【０００５】
ところで、倉庫等における収容効率を高めるために、製品を梱包した梱包箱を２〜３段程度の段積み状態とすることがある。
【０００６】
このような場合には、下段の梱包箱には多大な荷重が加わり、前記縦桁および横桁に対向しない位置の天板部材と梱包ケースの下端部とが当たる部位に撓みを生じたり、反ったりする変形を生じることがあった。
【０００７】
段ボール箱の段積みに関する技術は、例えば特開２００６−２３２２８２号公報など種々提案されている。
【先行技術文献】
【特許文献】
【０００８】
【特許文献１】特開２００６−２３２２８２号公報
【発明の概要】
【発明が解決しようとする課題】
【０００９】
本発明は、天板部材の変形を回避することのできる包装形態および底板を提供することを目的とする。
【課題を解決するための手段】
【００１０】
前記課題を解決するため、請求項１の発明に係る包装形態は、底面を形成する底板部材、該底板部材上に設けられて桁を構成する複数の桁部材、および該桁部材上に設けられて天面を形成する天板部材を備え、前記桁部材の一部が前記天板部材の縁部から露出するように構成された底板と、底部が開放された包装用箱とを含み、前記底板上に前記包装用箱を載せる際に、当該包装用箱の底側の縁部が、前記天板部材の縁部から露出する桁部材のみに当たるようにしたことを特徴とする。
【００１１】
請求項２の発明に係る包装形態は、底面を形成する底板部材および該底板部材上に設けられて桁を構成する複数の桁部材を備え、前記桁部材上に設けられて天面を形成する天板部材とから構成される底板と、底部が開放された包装用箱とを含み、前記底板上に前記包装用箱を載せる際に、当該包装用箱の底側の縁部が、前記桁部材と対向する前記天板部材の縁部のみに当たるようにしたことを特徴とする。
【００１２】
請求項３の発明に係る底板は、底面を形成する底板部材と、該底板部材上に設けられて桁を構成する複数の桁部材と、該桁部材上に設けられて天面を形成する天板部材とを備え、前記桁部材の一部が前記天板部材の縁部から露出するように構成されたことを特徴とする。
【００１３】
請求項４の発明に係る底板は、請求項３に記載の発明について、前記天板部材のサイズは、当該底板に載せられる底面を有しない包装用箱の内寸よりも小さく選定されることを特徴とする。
【００１４】
請求項５の発明に係る底板は、請求項３または請求項４の何れかに記載の発明について、前記底板部材、前記桁部材および前記天板部材は、段ボール紙で形成されることを特徴とする。
【発明の効果】
【００１５】
本発明によれば以下の効果を奏することができる。
【００１６】
すなわち、請求項１に記載の発明によれば、天板部材の変形を回避することのできる包装形態を提供することができる。
【００１７】
請求項２に記載の発明によれば、天板部材の変形を回避することのできる包装形態を提供することができる。
【００１８】
請求項３に記載の発明によれば、天板部材の変形を回避することのできる底板を提供することができる。
【００１９】
請求項４に記載の発明によれば、天板部材の変形をより有効に回避することのできる底板を提供することができる。
【００２０】
請求項５に記載の発明によれば、段ボール紙で形成された天板部材の変形を回避することのできる底板を提供することができる。
【図面の簡単な説明】
【００２１】
【図１】第１の実施の形態に係る底板を用いた包装形態の例を示す正面図である。
【図２】第１の実施の形態に係る底板を用いた包装形態の例を示す平面図である。
【図３】第１の実施の形態に係る底板の例を示す斜視図である。
【図４】第１の実施の形態に係る底板を用いた包装形態の例を示す斜視図である。
【図５】第２の実施の形態に係る底板の例を示す斜視図である。
【図６】第２の実施の形態に係る底板を用いた包装形態の例を示す斜視図である。
【図７】比較対象に係る底板を用いた包装形態の例を示す正面図である。
【図８】比較対象に係る底板を用いた包装形態の例を示す平面図である。
【発明を実施するための形態】
【００２２】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２３】
本発明についての実施の形態に係る包装形態および底板（パレット）について説明する前に、図７および図８を参照して比較対象となる例について述べる。
【００２４】
比較対象としての木製または段ボール製のパレットＰ１０は、例えば図７に示すように、底面を形成する底板部材３０１と、この底板部材３０１上に設けられる複数本の縦桁および横桁から構成される桁部材３０２と、桁部材３０２上に設けられて天面を形成する天板部材３０３とから構成される。
【００２５】
そして、電子機器等の製品を梱包または包装する場合には、上記構成のパレットＰ１０の上に、前記製品を載せ、さらにその上から前記製品を収容する底部が開放された梱包ケース（包装用箱の一例）２００を載せて、梱包箱Ｂ１０（Ｂ１０ａ、Ｂ１０ｂ）を構成させている。
【００２６】
また、図８に示すように、本比較対象では、天板部材３０３の大きさは、梱包箱Ｂ１０の外寸と略同じ大きさとされ、天板部材３０３の表面に、梱包箱Ｂ１０の下端の縁部全体が当たるようになっている。
【００２７】
ここで、倉庫等における収容効率を高めるために、製品を梱包した梱包箱Ｂ１を２〜３段程度の段積み状態とすることがある（図７では、梱包箱Ｂ１０ａ、Ｂ１０ｂを２段積みにした状態を示す）。
【００２８】
このように段積みした場合には、下段の梱包箱Ｂ１０ａには多大な荷重が加わり、桁部材３０２が存在する部位で受けられる荷重Ｆ１０のほか、桁部材３０２と対向しない位置の天板部材３０３と梱包ケース２００の下端部とが当たる部位３０３ａに荷重Ｆ１１が加わってしまう。
【００２９】
このような荷重Ｆ１１により、パレットＰ１０では、天板部材３０３が撓んだり、反ったりする変形を生じるという不具合があった。
【００３０】
また、桁部材３０２間に形成される隙間２５０は、フォークリフトのフォークが挿入されて梱包箱Ｂ１０ａ、Ｂ１０ｂを運搬するようになっているが、天板部材３０３に撓みを生じた場合には、フォークと天板部材３０３が接触して、天板部材３０３が傷ついたり破壊される虞があった。
【００３１】
そこで、本発明者は、上記課題を解消すべく鋭意研究の結果、本発明に係る包装形態および底板（パレット）を案出するに至った。
【００３２】
図１から図６を参照して、本発明についての実施の形態に係る包装形態および底板について説明する。
【００３３】
まず、図１から図４を参照して、第１の実施の形態に係る木製または段ボール製のパレットＰ１について説明する。
【００３４】
本実施の形態に係る木製または段ボール製のパレットＰ１は、図１から図４に示すように、底面を形成する底板部材１０１と、この底板部材１０１上に設けられて桁を構成する複数（本実施の形態では３本）の縦桁から成る桁部材１０２と、この桁部材１０２上に設けられて天面を形成する天板部材１０３とを備え、桁部材１０２の一部１０２ａ、１０２ｂ、１０２ｃが天板部材１０３の縁部から露出するように構成されている。
【００３５】
そして、電子機器等の製品を梱包または包装する場合には、上記構成のパレットＰ１の上に、前記製品を載せ、さらにその上から前記製品を収容する底部が開放された梱包ケース（包装用箱の一例）１５０を載せて、梱包箱Ｂ１（Ｂ１ａ、Ｂ１ｂ）を構成させている。
【００３６】
さらに、図２に示すように、本実施の形態では、天板部材１０３の大きさは、梱包箱Ｂ１０の内寸よりも小さく選定され、梱包箱Ｂ１（Ｂ１ａ、Ｂ１ｂ）の下端の縁部が、天板部材１０３の縁部から露出した桁部材１０２の一部１０２ａ、１０２ｂ、１０２ｃの表面のみに当たるようになっている。
【００３７】
なお、天板部材１０３のサイズは、パレットＰ１に載せられる底面を有しない梱包ケース１５０の内寸よりも小さく選定される
【００３８】
したがって、図１に示すように段積みした場合であっても、下段の梱包箱Ｂ１ａに加わる荷重Ｆ１は桁部材１０２（１０２ａ、１０２ｂ、１０２ｃ）のみで受けられ、天板部材１０３に荷重が掛かることが避けられる。
【００３９】
これにより、天板部材１０３が重みで撓んだり、反ったりする変形を生じるという不具合が回避される。
【００４０】
また、桁部材１０２間に形成される隙間１６０に、フォークリフトのフォークが挿入されて梱包箱Ｂ１ａ、Ｂ１ｂを運搬するようになっているが、天板部材１０３に撓みを生じることがないので、フォークと天板部材１０３が接触して、天板部材１０３が傷ついたり破壊される事態も回避される。
【００４１】
なお、図１から図４に示す実施の形態では、桁部材１０２は３本の縦桁で構成される場合を示したが、これに限定されず、縦桁の数を変えても良いし、横桁と組み合わせるようにしてもよい。
【００４２】
次に、図５および図６を参照して、第２の実施の形態に係る木製または段ボール製のパレットＰ２について説明する。
【００４３】
本実施の形態に係る木製または段ボール製のパレットＰ２は、図５および図６に示すように、底面を形成する底板部材５０１と、この底板部材５０１上に設けられて桁を構成する複数（本実施の形態では３本）の縦桁から成る桁部材５０２と、この桁部材１０２上に設けられて天面を形成する天板部材５０３とを備えている。
【００４４】
そして、天板部材５０３の端部には、切欠部５０３ａが形成され、天板部材５０３の縁部の一部５０３ｂのみが桁部材５０２の上面側の端部と対向するようになっている。
【００４５】
また、図６に示すように、底面を有しない梱包ケース５５０の底側の縁部には、パレットＰ２の天板部材５０３の端部の形状に合わせた突片部５５０ａおよび切込部５５０ｂが形成されている。
【００４６】
そして、このパレットＰ２上に底面を有しない梱包ケース５５０を載せる際に、梱包ケース５５０の底側の縁部が、桁部材５０２と対向する天板部材５０３の縁部５０３ｂのみに当たるようにする。
【００４７】
なお、天板部材５０３のサイズは、パレットＰ２に載せられる底面を有しない梱包ケース５５０の内寸よりも小さく選定される
【００４８】
したがって、段積みした場合であっても、下段の梱包箱に加わる荷重は桁部材５０２のみで受けられ、天板部材５０３の殆どの部分に荷重が掛かることが避けられる。
【００４９】
これにより、天板部材５０３が重みで撓んだり、反ったりする変形を生じるという不具合が回避される。
【００５０】
また、桁部材５０２間に形成される隙間１６０に、フォークリフトのフォークが挿入されて梱包箱を運搬するようになっているが、天板部材５０３に撓みを生じることがないので、フォークと天板部材５０３が接触して、天板部材５０３が傷ついたり破壊される事態も回避される。
【００５１】
なお、図５および図６に示す実施の形態では、桁部材５０２は３本の縦桁で構成される場合を示したが、これに限定されず、縦桁の数を変えても良いし、横桁と組み合わせるようにしてもよい。
【００５２】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【産業上の利用可能性】
【００５３】
本発明による包装形態および底板は、電子機器等の包装に適用することができる。
【符号の説明】
【００５４】
Ｐ１、Ｐ２  パレット
１０１  底板部材
１０２  桁部材
１０２ａ  桁部材の一部
１０３  天板部材
１６０  隙間
２００  梱包ケース
２５０  隙間
３０１  底板部材
３０２  桁部材
３０３  天板部材
５０１  底板部材
５０２  桁部材
５０３  天板部材
５０３ａ  切欠部
５０３ｂ  縁部
５５０  梱包ケース
５５０ａ  突片部
５５０ｂ  切込部
Ｂ１０  梱包箱
Ｂ１ａ、Ｂ１ｂ  梱包箱
Ｐ１０  パレット
【図１】
2012116535.tif 000003
【図２】
2012116535.tif 000004
【図３】
2012116535.tif 000005
【図４】
2012116535.tif 000006
【図５】
2012116535.tif 000007
【図６】
2012116535.tif 000008
【図７】
2012116535.tif 000009
【図８】
2012116535.tif 000010